(57)【要約】 【課題】  増設作業が容易で組み付け位置がずれたりすることがない電気電子機器収納箱設置用基台を提供する。【解決手段】  設置用基台を、脚部３に支持された基礎フレーム４を有する基本基台１と、基礎フレーム４に接続される増設フレーム８を有する連結基台２とからなるものとして、増設フレーム８には水平方向に突出する鍔板１３を設け、基礎フレーム４には鍔板１３が嵌め込まれる段差部１５を鍔板１３の厚み分低くして形成する。さらに、鍔板１３の先端には基礎フレーム４に掛止される下向きの突片１４を設けて、鍔板１３を段差部１５に嵌め込んだときに増設フレーム８の位置決めを可能とする。【選択図】    図１
2006013041.tif 000002
【特許請求の範囲】
【請求項１】
脚部に支持された基礎フレームを有する基本基台と、前記基礎フレームに接続される増設フレームを有する連結基台とからなる電気電子機器収納箱設置用基台であって、増設フレームには水平方向に突出する鍔板を設け、基礎フレームには当該鍔板が嵌め込まれる段差部を鍔板の厚み分低くして形成したうえに、鍔板の先端には基礎フレームに掛止される下向きの突片を設けたことを特徴とする電気電子機器収納箱設置用基台。
【請求項２】
鍔板を増設フレームの左右両サイドに設けるとともに、段差部を基礎フレームの左右両サイドに設けた請求項１に記載の電気電子機器収納箱設置用基台。
【請求項３】
基礎フレーム及び増設フレームの何れか又は双方の側面に、フロアパネル支持ビームを仮保持するための仮止め部材を設けた請求項１又は２に記載の電気電子機器収納箱設置用基台。
【発明の詳細な説明】
【技術分野】
【０００１】
本発明は、ＯＡフロアに配設されてラックなどの電気電子機器収納箱を据え付けるための電気電子機器収納箱設置用基台に関する。
【背景技術】
【０００２】
ラックなどの電気電子機器収納箱をＯＡフロアに設置するに際して、重量な電気電子機器収納箱を支持するためにロの字形フレームを４本の脚部に支持させた基台が用いられることがある。この電気電子機器収納箱設置用基台は、設置される電気電子機器収納箱の種類、設置台数によってその寸法を調整する必要がある。そのために、例えば基本構成とした複数の基本基台の間に連結用ビームを掛け渡すなどして横幅が調整される。しかし、このような基台を組み立てる作業は、一人の作業者が連結用ビームを保持し、もう一人の作業者が基本基台の位置を合わせるという具合に行うために、一人で作業を行うことができず作業性が劣る。また、連結用ビームは重量であって作業者がこれを落とす恐れがあるので、作業者に危険な作業を強いることとなる。また、連結用ビームがずれて組み立てられたりして連結後に位置調整の作業を必要とするなどの問題があった。
【０００３】
特許文献１には、増設可能な基台（チャンネルベース）の一つが開示されている。この開示に係る基台は、基本基台（基本モジュール）の脚部の側面に支持部を設け、この支持部に増設基台（増設モジュール）の先端部を支持させるものである。しかし、この構造の基台においては、増設基台の先端部を持ち上げて基本基台の支持部に載せるだけであるので、やはり組み付け後の位置がずれやすい。また、増設基台は重量であるために組み付け後の位置調整がしづらいなどの問題が残るものであった。
【特許文献１】特開２００２−２９１１１６号公報  (図１)
【発明の開示】
【発明が解決しようとする課題】
【０００４】
本発明は上記したような従来の問題点を解決して、増設作業が容易で組み付け位置がずれたりすることがない電気電子機器収納箱設置用基台を提供するためになされたものである。
【課題を解決するための手段】
【０００５】
上記の課題を解決するためになされた本発明の電気電子機器収納箱設置用基台は、脚部に支持された基礎フレームを有する基本基台と、前記基礎フレームに接続される増設フレームを有する連結基台とからなる電気電子機器収納箱設置用基台であって、増設フレームには水平方向に突出する鍔板を設け、基礎フレームには当該鍔板が嵌め込まれる段差部を鍔板の厚み分低くして形成したうえに、鍔板の先端には基礎フレームに掛止される下向きの突片を設けたことを特徴とするものである。この電気電子機器収納箱設置用基台において、鍔板を増設フレームの左右両サイドに設けるとともに、段差部を基礎フレームの左右両サイドに設けることができ、また、基礎フレーム及び増設フレームの何れか又は双方の側面に、フロアパネル支持ビームを仮保持するための仮止め部材を設けることができる。
【発明の効果】
【０００６】
本発明の電気電子機器収納箱設置用基台は、連結基台側の増設フレームには鍔板を水平方向に突設し、基本基台側の基礎フレームには鍔板の厚み分低くした段差部を形成したうえに、鍔板の先端には下向きの突片を設けたので、鍔板を段差部に嵌め込んだ時に突片が基礎フレームに掛止されて増設フレームを基礎フレームに正確に位置決めして接続することができる。したがって、増設フレームの位置がずれることがない。また、鍔板を増設フレームの左右両サイドに設けるとともに、段差部を基礎フレームの左右両サイドに設けたので、複数台の基本基台と連結基台とを電気電子機器収納箱の大きさ、設置台数に合わせて横に連設することができる。さらに、基礎フレーム等の側面に、フロアパネル支持ビームの仮止め部材を設けたので、フロアパネルの厚みに対応してフロアパネル支持ビームの取付け高さを調整することができる。
【発明を実施するための最良の形態】
【０００７】
以下に図面を参照しつつ本発明の好ましい実施形態を説明する。
図１は、本発明の電気電子機器収納箱設置用基台を示す図であって、１は基本基台、２は連結基台である。基本基台１は、４本の脚部３とこの脚部３に支持されたロの字形の基礎フレーム４とからなる。脚板３は適宜の長さに切断された形鋼に底板５が接合されたものであり、基礎フレーム４は形鋼からなる２本の横ビーム６、６ａと形鋼からなる２本の縦ビーム７、７ａとがロの字形に組み合わせられたものである。脚部３と基礎フレーム４とは溶接などの接合により台型に組み立てられている。また、連結基台２は、ロの字形に形成された増設フレーム８が脚部９に片持ちで支持されたものである。脚部９は、形鋼に底板１０が接合されたものであり、増設フレーム８は形鋼からなる２本の横ビーム１２、１２ａと形鋼からなる２本の縦ビーム１１、１１ａとがロの字形に組み合わせられたものであって、これらは溶接などの接合により組み立てられている。
【０００８】
上記した増設フレーム８において、一方の縦ビーム１１には、図２に示すように上面を横ビーム１２上面と同等ないしやや低くして鍔板１３が水平方向に突設されている。鍔板１３の先端には、この鍔板１３を下向きに折り曲げて掛止用の突片１４が設けられている。一方、基礎フレーム４において、縦ビーム７には段差部１５が形成してあって、この段差部１５は、鍔板１３の厚みと同等ないしやや深く形成してある。また、鍔板１３の突出幅は、縦ビーム７の横幅よりわずかに広い幅としてあって、突片１４が縦ビーム７の側面に掛止されるようにしてある。したがって、鍔板１３の裏側に縦ビーム７を嵌め込むことができる。また、縦ビーム１１と反対側の縦ビーム１１ａには、前記した段差部１５と同一形状の段差部１６が設けてあり、基礎フレーム８のもう一方の縦ビーム７ａにも段差部１５が設けてある。
【０００９】
以上のように構成したものは、作業者が増設フレーム８の鍔板１３側を持ち上げて、縦ビーム７に設けた段差部１５にこの鍔板１３を嵌め込めば、突片１４が縦ビーム７の側面に掛止されるので、図３に示すように増設フレーム８を位置ずれすることなくきちんと基礎フレーム４に接続することができる。連結部は、縦ビーム７と縦ビーム１１と鍔板１３とにより構成されるので十分な強度を有し、且つ軽量化を図ることができる。
【００１０】
さらに、増設フレーム８に設けた段差部１６に別の連結基台２の鍔板１３を嵌め込めば、基本基台１を中心として左右に一列に連結基台２を所要の台数連設することができる。なお既記したように、縦ビーム１１には鍔板１３の上面が横ビーム１２上面より突出しない高さとして鍔板１３を設けてあり、また、段差部１５の深さを、鍔板１３の厚みと同等ないしやや深く形成してある。したがって、図３に示すように、基本基台１に連結基台２を組み立てたときに、鍔板１３が横ビーム６、６ａ、１２、１２ａの上面から突出することがないので、設置した電気電子機器収納箱が傾いたりする恐れはない。
【００１１】
図４には、上記とは別の形態の電気電子機器収納箱設置用基台を示す。この実施形態において、基本基台１は上記したものと特に変わるところはなく、縦ビーム７、７ａにはそれぞれ段差部１５が形成されている。また、連結基台２の左右の縦ビーム１１、１１ａには鍔板１３が設けられ、この鍔板１３の先端には下向きの突片１４が設けられている。以上のように構成したものは、縦ビーム７の段差部１５に縦ビーム１１側の鍔板１３を嵌め込むことによって、突片１４の掛止により増設フレーム８ａを片持ちで支持することができる。そして、他方の縦ビーム１１ａ側の鍔板１３を別の基本基台１の段差部１５に嵌め込むことによって、図５に示すように一人作業で正確にこれらの基台１、２、１を接続することができる。
【００１２】
さらに、鍔板１３と段差部１５とを有する図１に示した増設フレーム８と、左右に鍔板１３を有する図４に示した増設フレーム８ａとを用いることによっても、図６のようにして、基本基台１と連結基台２とを多数台連設することができる。
【００１３】
なお、これら基本基台１、連結基台２の周囲にはフロアパネルが敷設される。図７、８に示す基本基台１には、フロアパネルを保持するためのフロアパネル支持ビーム２１が基礎フレーム４の側面にボルト２２により固定されている。フロアパネル支持ビーム２１は垂直部２１ａとその上端に設けられた水平状のひさし部２１ｂとからなる側面視逆Ｌ字形のものである。フロアパネル支持ビーム２１は、ひさし部２１ｂ上面にてフロアパネルを受け止めて支持するが、ひさし部２１ｂ上面は、横ビーム６上面よりフロアパネルの厚み分低くなるように高さ調整されて固定されている。したがって、フロアパネルを横ビーム６上面より突出することなくひさし部２１ｂで支持することができる。しかし、フロアパネルの厚みは一定ではないので、厚みの変動に対応してひさし部２１ｂの位置を調整する必要がある。
【００１４】
上記目的のためフロアパネル支持ビーム２１は、両端を仮止め部材２３に支持させてある。この仮止め部材２３は、ボルト２２の締め付けを緩めたときにフロアパネル支持ビーム２１を仮保持して、その高さ調整を容易にするためのものである。ボルト２２は、フロアパネル支持ビーム２１に設けた長孔２４に挿通されているので、ボルト２２の締め付けを緩めて仮止め部材２３にフロアパネル支持ビーム２１を仮保持させた状態とすれば、この支持ビーム２１をフロアパネルに厚みに対応して上下にずらすことができる。
【００１５】
仮止め部材２３は図９〜１１に示すようなものであって、板状の主部２５と、この主部２５の横側に突設された押圧片２６とを有する。さらに主部２５の裏側には、この仮止め部材２３をフロアパネル支持ビーム２１に固定するためのＴ字形の突起２７と、仮止め部材２３を横ビーム６側面に挟持するための突部２８が湾曲して設けられている。また、主部２５の表側には突部２８につながる爪部２９と、その横側の指掛け部３０とが設けられている。この指掛け部３０と爪部２９とを二本の指で挟みつければ爪部２９が指掛け部３０方向に移動して突部２８は退却するので、横ビーム６側面への仮止め部材２３の押圧力を緩めてこの仮止め部材２３を脱着することができる。
【００１６】
以上のような構造の仮止め部材２３を用いれば、ボルト２２締め付けを緩めたときにも押圧片２６がフロアパネル支持ビーム２１を挟みつけて仮保持することができるので、フロアパネル支持ビーム２１をフロアパネルの厚みに合わせて一人作業で上下にずらすことができる。なお、押圧片２６には位置目盛り３３が付してあるので、調整が容易である。
【００１７】
また、仮止め部材として、図１２に示すような板材を台形に折り曲げた仮止め部材３１を用いることができる。この仮止め部材３１はボルトの挿通孔３２を有し、樹脂、金属などからなる弾性体である。この仮止め部材３１を用いれば、フロアパネル支持ビーム２１を締結するボルト２２を緩めたときにも、仮止め部材３１の弾発力によりフロアパネル支持ビーム２１をずり落ちることなく緩やかに仮保持することができるので、フロアパネル支持ビーム２１の取付け高さを容易に調整することができる。これらの仮止め部材２３、３１は増設フレーム８、８ａに設けることもできる。
【００１８】
以上説明したように、本発明の電気電子機器収納箱設置用基台は、増設フレームには先端に下向きの突片を有する鍔板を水平方向に突設し、基礎フレームには鍔板が嵌め込まれる段差部を形成したので、増設フレームを基礎フレームに正確に位置決めして接続することができる。したがって、増設フレームの位置がずれることがないので、位置調整作業を必要としない。さらに、基礎フレーム等の側面にフロアパネル支持ビームの仮止め部材を設けたので、フロアパネルの厚みに対応してフロアパネル支持ビームの取付け位置を一人作業で容易に調整することができるという大きな利点を有する。
【図面の簡単な説明】
【００１９】
【図１】電気電子機器収納箱設置用基台の組み立て前の斜視図である。
【図２】図１の設置用基台の要部拡大図である。
【図３】図１の設置用基台の組み立て後の斜視図である。
【図４】別の形態の設置用基台の組み立て前を示す斜視図である。
【図５】図４の設置用基台の組み立て後の斜視図である。
【図６】増設フレームを２台連設した設置用基台の組み立て前の斜視図である。
【図７】フロアパネル支持ビームを有する基本基台の斜視図である。
【図８】図７の基本基台の要部拡大側面図である。
【図９】仮止め部材の平面図である。
【図１０】仮止め部材の正面側斜視図である。
【図１１】仮止め部材の背面側斜視図である
【図１２】別の形態の仮止め部材を用いた仮止め構造を説明する斜視図である。
【符号の説明】
【００２０】
１  基本基台
２  連結基台
３  脚部
４  基礎フレーム
５  底板
６、６ａ  横ビーム
７、７ａ  縦ビーム
８、８ａ  増設フレーム
９  脚部
１０  底板
１１、１１ａ  縦ビーム
１２、１２ａ  横ビーム
１３  鍔板
１４  掛止用の突片
１５、１６  段差部
２１  フロアパネル支持ビーム
２２  ボルト
２３  仮止め部材
２４  長孔
２５  板状の主部
２６  押圧片
２７  突起
２８  突部
２９  爪部
３０  指掛け部
３１  仮止め部材
【図１】
2006013041.tif 000003
【図２】
2006013041.tif 000004
【図３】
2006013041.tif 000005
【図４】
2006013041.tif 000006
【図５】
2006013041.tif 000007
【図６】
2006013041.tif 000008
【図７】
2006013041.tif 000009
【図８】
2006013041.tif 000010
【図９】
2006013041.tif 000011
【図１０】
2006013041.tif 000012
【図１１】
2006013041.tif 000013
【図１２】
2006013041.tif 000014